【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
可撓性を有する無端状の定着部材と、
前記定着部材に対向するよう設置される加圧部材と、
前記定着部材の内周側に設置され前記定着部材を介して前記加圧部材に圧接し前記定着部材と前記加圧部材により未定着画像を記録媒体に定着する定着ニップ部を形成するニップ形成部材と、
前記定着部材における前記定着ニップ部を除く内周面に沿って設置され、前記定着部材に熱を伝達する加熱部材と、を備えた定着装置において、
前記ニップ形成部材は、金属部材からなる保持部材に当接し、
前記ニップ形成部材は、前記保持部材と当接する側に、突起を有しており、
前記ニップ形成部材は、膜部材に覆われており、
前記膜部材には、開口部が設けられており、
前記定着部材の外側に設置され、励磁コイルを備える誘導加熱部材により前記加熱部材を誘導加熱することを特徴とする定着装置。
【請求項２】
前記定着部材の外周面に対向する位置であって前記誘導加熱部材の外側の位置に設けられ、前記定着部材の外周面の温度を検出する温度検知手段をさらに備えたことを特徴とする請求項１に記載の定着装置。
【請求項３】
前記誘導加熱部材は、電気抵抗率が高い強磁性体により形成されているアーチコアをさらに備えることを特徴とする請求項１又は請求項２に記載の定着装置。
【請求項４】
前記励磁コイルは、細線を束ねたリッツ線を巻回して前記定着部材の長手方向に延設されていることを特徴とする請求項１乃至請求項３に記載の定着装置。
【請求項５】
前記加熱部材は、所定温度にキュリー点を設定した整磁合金であることを特徴とする請求項１乃至請求項４のいずれかに記載の定着装置。
【請求項６】
前記整磁合金のキュリー点が設定された前記所定温度は、定着温度近傍であることを特徴とする請求項５に記載の定着装置。
【請求項７】
請求項１乃至請求項６のいずれかに記載の定着装置を搭載した画像形成装置。
【手続補正２】
【補正対象書類名】明細書
【補正対象項目名】０００６
【補正方法】変更
【補正の内容】
【０００６】
しかしながら、従来の特許文献１に記載の画像形成装置においては、トナーの定着性を確保するために定着部材に熱を伝える加熱部材を加熱するヒータが、回転軸を中心に回転する定着ローラに内蔵されている構成となっていたため、定着ローラの構造が複雑になるという問題があった。
【手続補正３】
【補正対象書類名】明細書
【補正対象項目名】０００７
【補正方法】変更
【補正の内容】
【０００７】
本発明は、このような問題を解決するためになされたもので、定着ローラの構造を簡素にすることができる定着装置および画像形成装置を提供することを目的とする。
【手続補正４】
【補正対象書類名】明細書
【補正対象項目名】０００８
【補正方法】変更
【補正の内容】
【０００８】
本発明に係る定着装置は、上記目的達成のため、可撓性を有する無端状の定着部材と、前記定着部材に対向するよう設置される加圧部材と、前記定着部材の内周側に設置され前記定着部材を介して前記加圧部材に圧接し前記定着部材と前記加圧部材により未定着画像を記録媒体に定着する定着ニップ部を形成するニップ形成部材と、前記定着部材における前記定着ニップ部を除く内周面に沿って設置され、前記定着部材に熱を伝達する加熱部材と、を備えた定着装置において、前記ニップ形成部材は、金属部材からなる保持部材に当接し、前記ニップ形成部材は、前記保持部材と当接する側に、突起を有しており、前記ニップ形成部材は、膜部材に覆われており、前記膜部材には、開口部が設けられており、前記定着部材の外側に設置され、励磁コイルを備える誘導加熱部材により前記加熱部材を誘導加熱することを特徴とする。
【手続補正５】
【補正対象書類名】明細書
【補正対象項目名】０００９
【補正方法】変更
【補正の内容】
【０００９】
この構成により、定着ローラの外側に設置された誘導加熱部材により加熱部材を加熱することができることにより、定着ローラの内部にヒータを設ける必要がなくなったので、定着ローラの構造を簡素にすることができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】変更
【補正の内容】
【００４０】
本発明によれば、定着ローラの構造を簡素にすることができる定着装置および画像形成装置を提供することができる。
【手続補正３７】
【補正対象書類名】明細書
【補正対象項目名】０１４６
【補正方法】変更
【補正の内容】
【０１４６】
また、定着装置２０は、定着ベルト２１の内周側にパイプ形状の回転支持部材を設置するようにしてもよい。回転支持部材は、例えば厚さ０．１〜１ｍｍを有する鉄やステンレスなどの薄肉金属により構成されており、外径が定着ベルト２１の内径よりも直径で０．５〜１ｍｍ程度小さく形成されている。また、回転支持部材は、定着ニップ部２８の上流側の一定領域の外周面が除去され開口部が形成されている。これにより、面状発熱体５２が開口部から露出するとともに、面状発熱体の表面が回転支持部材の外周面と同じ面となるので、面状発熱体５２が定着ベルト２１に接触し、定着ベルト２１を効率的に加熱できるようになる。なお、上記構成以外にも、例えば図１２のように加熱部材２２を定着ベルト２１の外側に設置した誘導加熱部９０により誘導加熱するようにしても良い。誘導加熱部９０は、励磁コイル９１と、アーチコア９２と、励磁コイル９１に電力を供給するインバータ９３により構成されている。励磁コイル９１は、細線を束ねたリッツ線を巻回して幅方向（図１２の紙面垂直方向）に延設されている。アーチコア９２は、フェライトやパーマロイ等、電気抵抗率が高い強磁性体により形成されている。
【手続補正３８】
【補正対象書類名】明細書
【補正対象項目名】０１４８
【補正方法】変更
【補正の内容】
【０１４８】
以上説明したように、本発明に係る画像形成装置は、定着ローラの構造を簡素にすることができるという効果を奏するものであり、未定着画像を記録媒体に加熱定着する画像形成装置に有用である。